【手続補正書】
【提出日】平成21年6月24日(2009.6.24)
【手続補正１】
【補正対象書類名】明細書
【補正対象項目名】特許請求の範囲
【補正方法】変更
【補正の内容】
【特許請求の範囲】
【請求項１】  プリンタ本体と、該プリンタ本体に設けられた開閉可能なカバーと、印字ヘッドとプラテンとからなる印字機構と、固定刃と可動刃装置とからなるカッタ機構とを備え、
前記プラテン及び前記固定刃が取り付けられ一体化されているプラテンホルダを有するプラテンユニットを備え、該プラテンユニットは、前記カバーの所定の部位に着脱可能に構成されていることを特徴とするプリンタ。
【請求項２】  前記印字機構の前記印字ヘッド及び前記カッタ機構の前記可動刃装置を前記プリンタ本体側に配設する一方、前記印字機構の前記プラテン及び前記カッタ機構の前記固定刃を前記カバー側に配設し、前記カバーが閉じられた状態で、記録紙に対し、前記印字機構により印字を行うとともに前記カッタ機構により切断するように構成されたことを特徴とする請求項１に記載のプリンタ。
【請求項３】  前記プラテンユニットの前記プラテンホルダは、長尺状の基部とその両側に設けられた側部とを有し、前記プラテンが前記プラテンホルダの側部に支持されるとともに、前記固定刃が前記プラテンホルダの基部上に支持されることにより一体的に構成される一方、前記プラテンホルダの所定の部位には、前記カバーに取り付けるための取付部が設けられていることを特徴とする請求項１記載のプリンタ。
【請求項４】  前記カバーと前記プリンタ本体とを係合又はその係合を解除させる機構であって、解除レバー部と、該解除レバー部と連動可能な係合爪部と、該係合爪部を回動可能に支持するためのレバー支軸とを有し、前記解除レバー部が移動することによって前記係合爪部が前記プリンタ本体の一部と係合又はその係合を解除するように構成された解除レバー機構をさらに備え、
該解除レバー機構は、前記レバー支軸が前記プラテンホルダの側部に貫通することにより前記プラテンユニットと一体化するように構成されていることを特徴とする請求項３に記載のプリンタ。
【請求項５】  前記記録紙を検出可能な紙検出器をさらに備え、該紙検出器は、前記プラテンホルダの所定の部位に設けられることにより前記プラテンユニットと一体化するように構成されていることを特徴とする請求項１乃至４のいずれか１項記載のプリンタ。
【請求項６】  プリンタ本体と、
該プリンタ本体に設けられた開閉可能なカバーと、
印字ヘッドとプラテンローラを有する印字機構と、
固定刃と可動刃装置を有するカッタ機構と、
前記プラテンローラ及び前記固定刃が取り付けられて一体化されているプラテンホルダとを備え、
該プラテンホルダは、前記カバーに着脱可能に取り付けられていることを特徴とするプリンタ。
【請求項７】  前記印字ヘッド及び前記可動刃装置は前記プリンタ本体に取り付けられていることを特徴とする請求項６に記載のプリンタ。
【請求項８】  前記カバーは前記プラテンホルダを位置決めするための位置決め部を備えており、
前記プラテンホルダは、前記固定刃が取り付けられている載置部と、当該プラテンホルダを前記カバーの前記位置決め部に取り付けている取付部と、前記プラテンローラのプラテン支軸を回動自在に支持している腕部とを備えていることを特徴とする請求項６または７に記載のプリンタ。
【請求項９】  前記カバーと前記プリンタ本体とを係合又はその係合を解除させる解除レバー機構を備えており、
該解除レバー機構は、解除レバーと、該解除レバーと連動可能な係合爪と、該係合爪を回動可能に支持しているレバー支軸とを有し、前記解除レバーが移動することによって前記係合爪が前記プリンタ本体の一部と係合し又はその係合が解除するように構成されており、
該解除レバー機構は、前記レバー支軸が前記プラテンホルダを貫通した状態で回動自在に支持されて、前記プラテンホルダに一体化されていることを特徴とする請求項６乃至８のいずれか１項記載のプリンタ。
【請求項１０】  前記記録紙を検出可能な紙検出器を備え、
該紙検出器は、前記プラテンホルダに取り付けられていることを特徴とする請求項６乃至９のいずれか１項記載のプリンタ。
【請求項１１】  前記プラテンホルダの前記載置部には突状の堤部が形成されており、
前記固定刃は、その歯先部分が、前記堤部によって覆われた状態で、前記載置部に載置されていることを特徴とする請求項６乃至１０のいずれかの１項記載のプリンタ。
【手続補正２】
【補正対象書類名】明細書
【補正対象項目名】０００７
【補正方法】変更
【補正の内容】
【０００７】
【課題を解決するための手段】
上記目的を達成するためになされた本発明は、プリンタ本体と、プリンタ本体に設けられた開閉可能なカバーと、印字ヘッドとプラテンとからなる印字機構と、固定刃と可動刃装置とからなるカッタ機構とを備え、プラテン及び固定刃が取り付けられ一体化されているプラテンホルダを有するプラテンユニットを備え、プラテンユニットは、カバーの所定の部位に着脱可能に構成されていることを特徴とするプリンタである。
【手続補正３】
【補正対象書類名】明細書
【補正対象項目名】０００８
【補正方法】変更
【補正の内容】
【０００８】
本発明によれば、カバーに取り付けなければならないプラテンや固定刃を、プラテンユニットとしてユニット化したことから、従来技術のように各部品を別々に、しかも、カバーの一箇所に集中して取り付ける手間や煩わしさを省き、１回の取付作業でこれらの部品をカバーに取り付けることができるため、その作業性を向上させることができる。
【手続補正４】
【補正対象書類名】明細書
【補正対象項目名】００１０
【補正方法】変更
【補正の内容】
【００１０】
また、本発明において、例えば、プラテンユニットのプラテンホルダは、長尺状の基部とその両側に設けられた側部とを有し、プラテンがプラテンホルダの側部に支持されるとともに、固定刃がプラテンホルダの基部上に支持されることにより一体的に構成される一方、プラテンホルダの所定の部位には、カバーに取り付けるための取付部が設けられているような構成にすれば、プラテンと固定刃とをユニット化できる。
【手続補正５】
【補正対象書類名】明細書
【補正対象項目名】００１１
【補正方法】変更
【補正の内容】
【００１１】
さらに、本発明において、カバーとプリンタ本体とを係合又はその係合を解除させる機構であって、解除レバー部と、解除レバー部と連動可能な係合爪部と、係合爪部を回動可能に支持するためのレバー支軸とを有し、解除レバー部が移動することによって係合爪部がプリンタ本体の一部と係合又はその係合を解除するように構成された解除レバー機構をさらに備え、解除レバー機構は、レバー支軸がプラテンホルダの側部に貫通することによりプラテンユニットと一体化するように構成されていることも効果的である。
【手続補正６】
【補正対象書類名】明細書
【補正対象項目名】００１３
【補正方法】変更
【補正の内容】
【００１３】
これらの発明によれば、解除レバー機構や紙検出器を、プラテンユニットに含めて、プラテンや固定刃とともに１回の作業でカバーに取り付けることができる。
【手続補正７】
【補正対象書類名】明細書
【補正対象項目名】００３０
【補正方法】変更
【補正の内容】
【００３０】
かかる構成を有する本実施の形態においては、まず、プラテンホルダ３１に、プラテンローラ１２、固定刃２１、解除レバー機構４０及び紙検出器５０を組み付けてプラテンユニット３０にする。そして、ロール紙カバー３の位置決め部３ｂにプラテンホルダ３１の取付部３１ｅをネジ止めする作業により、プラテンユニット３０をロール紙カバー３に取り付ける。
【手続補正８】
【補正対象書類名】明細書
【補正対象項目名】００３４
【補正方法】変更
【補正の内容】
【００３４】
特に、プラテンホルダ３１という単一の部材内だけで、プラテンローラ１２や固定刃２１等のそれぞれの位置を独立して決定できるため、従来技術のように、プラテンローラ１２や固定刃２１をそれぞれ別の部材に取り付けて、かかる部材同士の間や各部材への取付誤差を加味しながらプラテンローラ１２や固定刃２１等のそれぞれの位置を決定する場合よりも、位置精度を向上させうる点で有利である。
【手続補正９】
【補正対象書類名】図面
【補正対象項目名】図５
【補正方法】変更
【補正の内容】
【図５】
2001302073.tif 000001
【手続補正１０】
【補正対象書類名】図面
【補正対象項目名】図６
【補正方法】変更
【補正の内容】
【図６】
2001302073.tif 000002